(57)【要約】【課題】機枠に設けられた遊技盤保持枠と、その前側に設けられた透明部材保持枠の開閉状態を検出する検出装置とを有する遊技機において、配線の処理を簡素化するとともに１つの検出器で遊技盤保持枠及び透明部材保持枠の開閉状態を検出する。【解決手段】遊技盤保持枠１３０に設けた前後に貫通する貫通口１１に検出装置３０を収納するとともに該検出装置３０からの検出信号を監視する監視手段（遊技制御装置１３３）を設けて検出装置３０と監視手段を同じ枠に設け、配線の処理を簡素化する。また、透明部材保持枠１４０及び遊技盤保持枠１３０の双方が閉状態の場合に、検出装置３０の検出部５２が検出状態となる一方、透明部材保持枠１４０または遊技盤保持枠１３０のいずれか一方が開状態に変換された際に、検出部５２が非検出状態に変位するようにし、１つの検出器５０で遊技盤保持枠１３０及び透明部材保持枠１４０の開閉状態を検出可能とする。【選択図】図８
2008017924.tif 000002
【特許請求の範囲】
【請求項１】
機枠の前側に開閉可能に設けられ、遊技盤を保持する遊技盤保持枠と、
該遊技盤保持枠の前側に開閉可能に設けられ、閉状態で透明部材が前記遊技盤の前方を覆う透明部材保持枠と、
前記機枠に対する前記遊技盤保持枠の開閉状態、及び、前記遊技盤保持枠に対する前記透明部材保持枠の開閉状態を検出する検出装置と、を有する遊技機において、
前記遊技盤保持枠は、前後に貫通する貫通口を設けて該貫通口に前記検出装置を収納するとともに、該検出装置からの検出信号を監視する監視手段を設け、
前記検出装置は、
ベース部材に対して所定量突出した非検出状態に付勢され、該非検出状態から付勢に抗して突出量を減少させた検出状態に変位する検出部を有する検出器と、
前記検出部の変位方向が前後方向となるように前記ベース部材を保持するとともに、前記貫通口に対して前後方向にスライドするスライド部材と、
から構成し、
前記透明部材保持枠及び遊技盤保持枠の双方が閉状態の場合に、前記検出装置が前記機枠、及び透明部材保持枠により前後方向から押圧されて前記検出部を検出状態に変位させる一方、
前記透明部材保持枠または遊技盤保持枠のいずれか一方が開状態に変換することにより前記貫通口が前後のいずれかに開放する際に、前記検出部に作用する付勢力により前記ベース部材を貫通口の開放側にスライドさせることを特徴とする遊技機。
【請求項２】
前記スライド部材は、前後方向のスライド量を規制する規制部が設けられ、
前記検出部の非検出状態から検出状態への変位量よりも、前記スライド部材が規制部により規制されたスライド量を大きくしたことを特徴とする請求項１に記載の遊技機。
【請求項３】
前記スライド部材は、中空部を形成して、該中空部に前記検出器の端子を収納し、
前記中空部は、側部に前記端子に接続された配線を導出するための開口を形成したことを特徴とする請求項１または２に記載の遊技機。
【発明の詳細な説明】
【技術分野】
【０００１】
本発明は、機枠の前側に開閉可能に設けられた遊技盤保持枠と、該遊技盤保持枠の前側に開閉可能に設けられた透明部材保持枠と、遊技盤保持枠及び透明部材保持枠の開閉状態を検出する検出装置とを有する遊技機に関する。
【背景技術】
【０００２】
従来の遊技機は、島設備に固定される中空枠状の外枠（機枠）と、外枠の前側に開閉可能に蝶着され遊技盤を収納する内枠（遊技盤保持枠）と、内枠の前側に開閉可能に蝶着され閉状態でガラスが遊技盤前方を覆うガラス枠（透明部材保持枠）と、を備えた物が一般的である。このような遊技機の中には、外枠に対する内枠の開閉状態、及び、内枠に対するガラス枠の開閉状態を１つの検出器で検出する物がある（例えば、特許文献１参照）。
【特許文献１】特開２００２−６６０６４号公報
【発明の開示】
【発明が解決しようとする課題】
【０００３】
ところで、特許文献１に開示された遊技機は、検出器をガラス枠、若しくは、外枠に固定し、且つ内枠に検出器からの検出信号を監視する監視装置を設けていたため、検出器と監視装置とを結ぶ配線の処理が困難であった。
【０００４】
本発明の目的は、機枠の前側に開閉可能に設けられた遊技盤保持枠と、該遊技盤保持枠の前側に開閉可能に設けられた透明部材保持枠と、遊技盤保持枠及び透明部材保持枠の開閉状態を検出する検出装置とを有する遊技機において、検出装置と監視手段とを結ぶ配線の処理を簡素化するとともに１つの検出器で遊技盤保持枠及び透明部材保持枠の開閉状態を検出することである。
【課題を解決するための手段】
【０００５】
以上の課題を解決するため、請求項１に記載の発明は、機枠の前側に開閉可能に設けられ、遊技盤を保持する遊技盤保持枠と、
該遊技盤保持枠の前側に開閉可能に設けられ、閉状態で透明部材が前記遊技盤の前方を覆う透明部材保持枠と、
前記機枠に対する前記遊技盤保持枠の開閉状態、及び、前記遊技盤保持枠に対する前記透明部材保持枠の開閉状態を検出する検出装置と、を有する遊技機において、
前記遊技盤保持枠は、前後に貫通する貫通口を設けて該貫通口に前記検出装置を収納するとともに、該検出装置からの検出信号を監視する監視手段を設け、
前記検出装置は、
ベース部材に対して所定量突出した非検出状態に付勢され、該非検出状態から付勢に抗して突出量を減少させた検出状態に変位する検出部を有する検出器と、
前記検出部の変位方向が前後方向となるように前記ベース部材を保持するとともに、前記貫通口に対して前後方向にスライドするスライド部材と、
から構成し、
前記透明部材保持枠及び遊技盤保持枠の双方が閉状態の場合に、前記検出装置が前記機枠、及び透明部材保持枠により前後方向から押圧されて前記検出部を検出状態に変位させる一方、
前記透明部材保持枠または遊技盤保持枠のいずれか一方が開状態に変換することにより前記貫通口が前後のいずれかに開放する際に、前記検出部に作用する付勢力により前記ベース部材を貫通口の開放側にスライドさせることを特徴とする。
【０００６】
請求項１に記載の発明によれば、遊技盤保持枠は、前後に貫通する貫通口を設けて該貫通口に検出装置を収納するとともに、該検出装置からの検出信号を監視する監視手段を設けたので、検出装置と監視手段が同じ枠（遊技盤保持枠）に設けられており、検出装置における検出器と監視手段とを結ぶ配線の処理を簡素化することができる。すなわち、枠の開閉により検出装置と監視手段とを結ぶ配線が枠部材の間に挟まって断線するといった事態を効果的に回避できる。
【０００７】
また、検出装置は、透明部材保持枠及び遊技盤保持枠の双方が閉状態の場合に、機枠、及び透明部材保持枠により前後方向から押圧されて検出部が検出状態に変位する一方、透明部材保持枠または遊技盤保持枠のいずれか一方が開状態に変換することで貫通口が前後のいずれかに開放した際に、検出部に作用する付勢力によりベース部材が貫通口の開放側にスライドするので、１つの検出装置で透明部材保持枠及び遊技盤保持枠の開放状態を検出でき製造コストを抑えることができる。
【０００８】
請求項２に記載の発明は、請求項１に記載の遊技機であって、前記スライド部材は、前後方向のスライド量を規制する規制部が設けられ、
前記検出部の非検出状態から検出状態への変位量よりも、前記スライド部材が規制部により規制されたスライド量を大きくしたことを特徴とする。
【０００９】
請求項２に記載の発明によれば、スライド部材は、前後方向のスライド量を規制する規制部が設けられ、検出部の非検出状態から検出状態への変位量よりも、スライド部材が規制部により規制されたスライド量を大きくしたので、確実に開閉状態を検出できる。
すなわち、夫々の枠が双方閉状態の場合に、検出装置に対して前後からの押圧力を確実に作用させ、検出部を検出状態とすることができると共に、夫々の枠のいずれか一方が開状態に変換した場合に、ベース部材を貫通口の開放側に確実にスライドさせ、検出部を非検出状態とすることができ、夫々の枠の開閉状態を確実に検出できる。
【００１０】
請求項３に記載の発明は、請求項１または２に記載の遊技機であって、前記スライド部材は、中空部を形成して、該中空部に前記検出器の端子を収納し、
前記中空部は、側部に前記端子に接続された配線を導出するための開口を形成したことを特徴とする。
【００１１】
請求項３に記載の発明によれば、スライド部材は、中空部を形成して、該中空部に検出器の端子を収納し、中空部は、側部に端子に接続された配線を導出するための開口を形成したので、前後方向に移動するスライド部材の側部開口より配線を導出することとなり、配線によりスライド部材の前後移動が阻害されることを防止できる。
【発明の効果】
【００１２】
本発明によれば、遊技盤保持枠は、前後に貫通する貫通口を設けて該貫通口に検出装置を収納するとともに、該検出装置からの検出信号を監視する監視手段を設けたので、検出装置と監視手段が同じ枠（遊技盤保持枠）に設けられており、検出装置における検出器と監視手段とを結ぶ配線の処理を簡素化することができる。すなわち、枠の開閉により検出装置と監視手段とを結ぶ配線が枠部材の間に挟まって断線するといった事態を効果的に回避できる。
【００１３】
また、検出装置は、透明部材保持枠及び遊技盤保持枠の双方が閉状態の場合に、機枠、及び透明部材保持枠により前後方向から押圧されて検出部が検出状態に変位する一方、いずれか一方の枠が開状態に変換することにより、検出部に作用する付勢力によりベース部材が貫通口の開放側にスライドするので、１つの検出装置で透明部材保持枠及び遊技盤保持枠の開放状態を検出でき、製造コストを抑えることができる。
【発明を実施するための最良の形態】
【００１４】
以下、この発明の実施形態について図面を参照して説明する。
ここでは、本発明にかかる遊技機の適例としてのパチンコ遊技機について図１から図８を用いて説明を行う。
【００１５】
図１から３に示すように、本実施形態の遊技機１００は、遊技店の島設備に固定される矩形枠状に構成された機枠１１０を備えている。この機枠１１０には、前面側から見て左側の側部が該機枠１１０に対して前方向へ扉状に回動可能となるように矩形枠状の内枠１２０が軸着されている。なお、矩形枠状の機枠１１０は、前面側から見て右側の一辺が金属製とされ、その他の辺は木製となっている。これによって、前面側から見て右側の一辺においては、強度を保ったまま厚みを薄くでき、大型の画像表示装置を備えた遊技盤の配設を可能としている。
【００１６】
内枠１２０は、当該内枠１２０に備えられる各種部材等の取付用のベースとなる遊技盤保持枠１３０と、当該遊技盤保持枠１３０に対して、その前面側に回動可能に軸支された透明部材保持枠１４０と、遊技盤保持枠１３０の前面の透明部材保持枠１４０の下側に取り付けられた発射操作ユニット１５０、開閉パネルユニット１６０とを有する。
【００１７】
遊技盤保持枠１３０は、矩形枠状の機枠１１０の前面側をちょうど覆うような概略矩形板状であり、その前面から見た左側部が機枠１１０に対して回動可能に軸着され、機枠１１０の前面側を覆った状態から前方向へ扉状に回動可能とされている。また、遊技盤保持枠１３０の中央から上端部にわたる部分には、後述する遊技盤１を嵌め込んで収容するための方形状の開口部１３１が形成され、収容された遊技盤１の前面が遊技盤保持枠１３０の開口部１３１から前側に臨むようになっている。すなわち遊技盤１は、遊技盤保持枠１３０に嵌め込まれることで内枠１２０に取り付けられている。
【００１８】
遊技盤保持枠１３０の開口部１３１に嵌め込まれる遊技盤１は、各種部材の取付ベースとなる平板状の遊技盤本体１ｂ（木製もしくは合成樹脂製）を備え、該遊技盤本体１ｂの前面に、遊技領域区画壁２で囲まれた遊技領域１ａを有し、この遊技領域１ａ内に発射装置１３５（図３に図示）から遊技球（打球；遊技媒体）を発射して遊技を行うようになっている。
【００１９】
この遊技領域１ａには図示を省略するが、周知の遊技機と同様に、例えば、普図始動ゲートと、この普図始動ゲートを遊技球が通過して普図変動表示ゲームが未処理となっている未処理回数を表示する普図始動記憶表示器、普通図柄の変動表示ゲームを表示する普図変動表示器が設けられている。また、普通変動入賞装置と、この普通変動入賞装置に遊技球が入賞して特図変動表示ゲームが未処理となっている未処理回数を点灯表示する特図始動記憶表示器、特図変動表示ゲームを表示する特図変動表示器、特図変動表示器での特図変動表示ゲームに対応する表示ゲームを表示する変動表示装置が設けられている。さらに、特別遊技状態において開放される特別変動入賞装置、一般入賞口、風車と呼ばれる打球方向変換部材、多数の障害釘、入賞口に入賞しなかった遊技球を回収するアウト口３などが設けられている。
【００２０】
また、遊技盤保持枠１３０の遊技盤１が嵌め込まれた開口部１３１、すなわち、遊技盤保持枠１３０の中央より少し下側から上端部にわたる部分には、遊技盤保持枠１３０の前側を覆うように透明部材保持枠１４０が配置されている。この透明部材保持枠１４０は、その前面から見た左側部が遊技盤保持枠１３０に対して回動可能に軸着され、遊技盤保持枠１３０の前面側を覆った状態から前方向へ扉状に回動可能とされている。
【００２１】
また、透明部材保持枠１４０には、遊技盤保持枠１３０の開口部１３１をほぼ閉塞するように、該開口部１３１に嵌め込まれた遊技盤１との間に遊技球が流下可能な遊技領域１ａとなる間隔を開けて、透明部材としてのガラス板１４１が二重に固定されている。そして、透明部材保持枠１４０において、遊技機１００の前側からガラス板１４１を介して遊技盤１の前面側の少なくとも遊技領域１ａの部分が視認可能となっている。また、透明部材保持枠１４０の前面であって、ガラス板１４１が固定されて遊技領域１ａを視認可能とする部分の周囲には、枠装飾装置１４４としてのランプやＬＥＤ、音声を出力するスピーカ１４２などが設けられている。
【００２２】
また、遊技盤保持枠１３０に軸着された透明部材保持枠１４０の開放端側となる前面側から見て右側の端部の前面には、施錠装置の一部をなす鍵穴１４３が形成されている。この鍵穴１４３は、遊技盤保持枠１３０の施錠装置の一部であるとともに、透明部材保持枠１４０の施錠装置の一部でもあって、鍵穴１４３に鍵を入れて一方（例えば左回り）に回すと遊技盤保持枠１３０の施錠が解除され、他方（例えば右回り）に回すと透明部材保持枠１４０の施錠が解除されるようになっている。
【００２３】
図３に示すように、遊技盤保持枠１３０の遊技盤１が取り付けられた開口部１３１の下側となる遊技盤保持枠１３０の下部には、各種部材の取付ベースとなる取付盤１３４が設けられている。この取付盤１３４の前面には、遊技領域１ａに遊技球を発射する発射装置１３５や、内枠１２０の裏面側に設けられた図示しない排出装置より排出された賞球、貸球としての遊技球を排出する流出口１３８が形成されている。
【００２４】
また、図１，２に示すように、取付盤１３４の前面側には開閉パネルユニット１６０と発射操作ユニット１５０とが上下に取り付けられている。開閉パネルユニット１６０は、その前面から見た左側部が遊技盤保持枠１３０に対して回動可能に軸着され、遊技盤保持枠１３０の前面側（取付盤１３４の前面側）を覆った状態から前方向へ扉状に回動可能とされている。一方、発射操作ユニット１５０は、遊技盤保持枠１３０の前面側であって、開閉パネルユニット１６０の下方に固定されている。これによって、開閉パネルユニット１６０を開くことにより、取付盤１３４の前側を開放可能となっている。また、開閉パネルユニット１６０及び発射操作ユニット１５０と、上述の透明部材保持枠１４０は、上下に隣接して配されるようになっており、これらによって遊技盤保持枠１３０の前面側が覆われるようになっている。
【００２５】
このような開閉パネルユニット１６０には、取付盤１３４に形成された流出口１３８と対向する位置に、前後に貫通する開口が形成され、開閉パネルユニット１６０の前面側に流出口１３８が開口するようになっている。そして、開閉パネルユニット１６０の前面には、この開閉パネルユニット１６０の前面側に開口した流出口１３８から流出した遊技球を受け入れて貯留するとともに、発射装置１３５へ送る上皿１６１が形成されている。また、この上皿１６１に隣接した位置には、遊技者が操作可能な演出用ボタン１６２，１６２が配設され、上皿１６１の下側には音声を出力するスピーカ１６３が配設されている。一方、発射操作ユニット１５０には、上皿１６１に収容しきれない遊技球を収容する下皿１５１が設けられている。また、遊技領域１ａに向けての遊技球の発射操作を行うとともに、該遊技領域１ａに遊技球を発射する際の発射勢を調節するための操作ハンドル１５２、灰皿１５３などが設けられている。
【００２６】
また、遊技盤保持枠１３０の裏面側であって開口部１３１の上側には、遊技機１００が設置される遊技店の島設備に設けられた供給装置から供給される遊技球を受け入れるとともに一時貯留するタンク１３２が設けられている。また、遊技盤保持枠１３０の裏面側であって開口部１３１の下側には、遊技機１００を制御する遊技制御装置１３３が設けられている。なお、この遊技制御装置１３３には、後述する検出装置３０からの検出信号が入力されるようになっていて、遊技制御装置１３３においては、この検出信号に基づき遊技盤保持枠１３０および透明部材保持枠１４０の開閉状態を検出するようになっている。すなわち、遊技制御装置１３３が検出装置３０からの検出信号を監視する監視手段をなす。
【００２７】
図４から８に示すように、遊技盤保持枠１３０の上部には、機枠１１０に対する遊技盤保持枠１３０の開閉状態および遊技盤保持枠１３０に対する透明部材保持枠１４０の開閉状態を検出する検出手段１０が設けられている。この検出手段１０は、遊技盤保持枠１３０の上部に形成された開口部１３６および該開口部１３６の後部の後方に配されるスライドガイド部材２０とから形成される貫通口１１と、該貫通口１１にスライド可能に配された検出装置３０とを有する。
【００２８】
貫通口１１は、遊技盤保持枠１３０の前後に貫通するように形成された筒状の空間である。この貫通口１１の前側部分は、遊技盤保持枠１３０自体に形成された矩形筒状の開口部１３６で構成されている。また、この開口部１３６の側部には、開口部１３６の延在方向（前後方向）に沿ったボス状のねじ止め部１３７，１３７が形成されている。さらに、開口部１３６の下面をなす下部周壁１３６ａは、開口部１３６よりも後方へ延出しており、後述するスライドガイド部材２０とによって貫通口１１の後側部分を形成するようになっている。
【００２９】
スライドガイド部材２０は、板状の外周壁２１によって囲まれた長円形の空間部２０ａを有する部材であって、遊技盤保持枠１３０に形成された矩形筒状の開口部１３６と、開口部１３６の左右に位置するボス状のねじ止め部１３７，１３７との後方に重なるように配される。また、スライドガイド部材２０の前面には、開口部１３６に連通する連通部２２と、ボス状のねじ止め部１３７，１３７と対向して配される固定面２３，２３とが形成されている。
【００３０】
固定面２３，２３にはねじ穴２３ａ，２３ａが形成され、空間部２０ａの内側に位置する固定面２３，２３の裏面側からねじを挿通し、遊技盤保持枠１３０に形成されたねじ止め部１３７，１３７に羅合することで、スライドガイド部材２０が遊技盤保持枠１３０に対する所定位置に固定されるようになっている。また、連通部２２は、スライドガイド部材２０を遊技盤保持枠１３０に固定した状態において、遊技盤保持枠１３０に形成された矩形状の開口部１３６を形成する周壁のうち、上側と左右の周壁の後端部に沿う周縁を有する。なお、連通部２２の上側の周縁はスライドガイド部材２０の上側の外周壁２１における前端面によって構成されている。また、連通部２２の下側の周縁を含むスライドガイド部材２０の下部には、スライドガイド部材２０を遊技盤保持枠１３０に固定した状態において、後方に延出するように形成された開口部１３６の下部周壁１３６ａが嵌るようになっており、この部分には外周壁２１が形成されていない。
【００３１】
さらに、スライドガイド部材２０の上側の外周壁２１には、検出装置３０の上部に設けられた規制部４８を前後方向に沿って案内するスライド溝２４が形成されている。このスライド溝２４は、連通部２２が形成されたスライドガイド部材２０の前端から後方へ向かって切欠き状に外周壁２１が切り取られた部分であり、検出装置３０に設けられた規制部４８の左右幅と略同じ左右幅を有する。また、スライドガイド部材２０の前側から見て左後部の外周壁２１は一部が切り取られ、検出装置３０に形成された配線用開口４４から外部に延出する配線を通すための配線挿通部２５が形成されている。
【００３２】
検出装置３０は、矩形箱状のスライド部材４０の内部に検出器５０が収納されたものであって、貫通口１１に対して前後にスライド可能な状態で配されるものである。
【００３３】
図６に示すように、スライド部材４０は、検出器５０を収容可能な凹室状の収容空間４１を備えた収容部材４０ａと、凹室状の収容空間４１の開口を覆って閉鎖し、スライド部材４０の内部に中空部４１ａを形成する蓋部材４０ｂとから構成されている。
【００３４】
収容部材４０ａは、底板４２と、該底板４２の周囲に沿って底板４２に対して垂直に接続した板状の周壁４３とによって凹室状の収容空間４１を形成している。このうち周壁４３は、貫通口１１から遊技盤保持枠１３０の前面側に露出する前部には形成されておらず、ここに検出器５０の検出部５２が配された前面が臨むようになっている。また、収容部材４０ａの前部から見て左後部にも周壁４３が形成されておらず、この部分は検出器５０に接続した配線が通る配線用開口４４とされている。また、周壁４３の高さは、収容部材４０ａ内に配される検出器５０の側部と接する前側部分においては検出器５０の高さと略同じ高さとされ、それ以外の部分においては蓋部材４０ｂの厚みの分だけ前側部分よりも低くされている。
【００３５】
また、底板４２の上面であって検出器５０が配される部分には、矩形状の突部である位置決め突起４５が形成されており、検出器５０を配設する際には、検出器５０に形成された位置決め凹部５４をこの位置決め突起４５に嵌合するように配することで、検出器５０が収容部材４０ａの所定位置に配されるようになっている。さらに、前面から見て右側の周壁４３の内周面には、上下に延在する位置決めスリット４３ａが形成されており、検出器５０を配設する際に、この位置決めスリット４３ａに検出器５０の側面に形成された位置決めリブ５５を嵌合するように配することでも検出器５０が収容部材４０ａの所定位置に配されるようになっている。また、左側の周壁４３の内周面に隣接した位置と、右側の周壁４３と後側の周壁４３とが接続する位置には、収容部材４０ａの上部を覆う蓋部材４０ｂを固定するためのボス状のねじ止め部４６，４６が形成されている。
【００３６】
検出器５０は、本体部分を形成するベース部材５１と、その前方に突出するように設けられた検出部５２、後方に突出するように設けられた端子５３を有する。ベース部材５１は略直方体形状をしており、その左右幅は収容部材４０ａに形成された収容空間４１の左右幅と略等しい幅とされている。また、その前面は、検出器５０を収容部材４０ａに収容した状態で、検出部５２が設けられた前面５１ａが収容部材４０ａの周壁４３が設けられていない前部に臨むように配され、前方に検出部５２が突出した状態で検出装置３０の前面をなすようになっている。また、ベース部材５１の左側後部の角部は一部切欠き状に形成されており、この部分と対応する収容空間４１における左側の周壁４３の内側面には、ねじ止め部４６が形成されている。
【００３７】
また、ベース部材５１の下面には、収容部材４０ａの底面に形成された上述の位置決め突起４５を受け入れる位置決め凹部５４が形成されており、この位置決め凹部５４に位置決め突起４５を嵌合するように配することで、検出器５０が収容部材４０ａの所定位置に配されるようになっている。さらに、ベース部材５１の前面側から見て右側の側面には、外側へ突出する位置決めリブ５５が形成されており、この位置決めリブ５５を収容部材４０ａの周壁４３の内周面に形成された位置決めスリット４３ａに嵌合するように配することでも検出器５０が収容部材４０ａの所定位置に配されるようになっている。
【００３８】
ベース部材５１の前面５１ａに設けられた検出部５２は直方体形状の突起部で、ベース部材５１に対して前後に移動可能に構成されている。この検出部５２は、内部に設けられた図示しない付勢部材によって前方向（ベース部材５１から突出する方向）に付勢されており、外部から力が加わっていない状態では、前後の移動範囲における前端位置に位置し、最も突出した状態となっている。この状態では、検出器５０の内部に設けられたスイッチがＯＦＦとなり、この状態が検出器５０が検出信号を出力しない非検出状態となる。
【００３９】
そして、この状態から検出部５２が付勢部材の付勢力に抗して後方へ押し込まれることで、検出部５２の後部の一部がベース部材５１内に没した状態となる。この検出部５２が押し込まれて一部が没した状態では、検出器５０の内部に設けられたスイッチがＯＮとなり、この状態が検出器５０が検出信号を出力する検出状態となる。
【００４０】
ベース部材５１の後方に設けられた端子５３は左右一対の金属片からなり、ここに接続された図示しない配線は、収容部材４０ａの左後部に形成された配線用開口４４から検出装置３０の外部に接続されるようになっている。そして、検出状態において検出器５０から出力される検出信号は、この端子５３から出力されて図示しない配線を通じて遊技制御装置１３３に入力されるようになっており、遊技制御装置１３３においてはこの検出信号に基づき、後述するように遊技盤保持枠１３０、透明部材保持枠１４０の開閉状態を検出するようになっている。
【００４１】
蓋部材４０ｂは、収容部材４０ａに形成された凹室状の収容空間４１のうち、検出器５０のベース部材５１が配された部分を除いた領域を覆い、スライド部材４０の内部に中空部４１ａを形成する蓋部４７と、該蓋部４７の上部に形成された規制部４８とを有する。
【００４２】
蓋部４７は、上述のように左側後部の一部が切欠き状に形成された検出器５０の後端部に組み合わさるように、前側の左端部が前方へ突出した形状とされている。また、蓋部４７の左右幅は収容部材４０ａの左右幅と等しく、周壁４３の上端部は蓋部４７が配される部分がその厚みの分だけ低く形成されているので、蓋部４７の上面と検出器５０の上面が略同一面をなすようになっている。すなわち、収容部材４０ａの前側部分には検出器５０が配設されるとともに、その検出器５０の上面が検出装置３０の上面をなし、収容部材４０ａの後側部分においては蓋部４７が収容空間４１を覆うように配されるとともに、その上面が検出装置３０の上面をなす。これらによって略直方体の検出装置３０が構成されるようになっている。
【００４３】
また、蓋部４７により収容空間４１の開口を覆うことで形成される中空部４１ａには、検出器５０の端子５３が収容されるようになっており、収容空間４１の側部に形成された配線用開口４４から端子５３に接続された配線が外部へ導出される。なお、この配線は、検出装置３０が設けられる遊技盤保持枠１３０に配された遊技制御装置１３３に接続（例えば、中継基板等を介して）されている。
【００４４】
以上のことから、スライド部材４０は、中空部４１ａを形成して、該中空部４１ａに検出器５０の端子５３を収納し、中空部４１ａは、側部に端子５３に接続された配線を導出するための開口（配線用開口４４）を形成したこととなる。
【００４５】
また、蓋部４７の上面には矩形状の突部である規制部４８が形成されている。この規制部４８は、スライドガイド部材２０のスライド溝２４の左右幅と略等しい左右幅を有し、スライド溝２４に前後動可能に嵌合するようになっており、これにより、検出装置３０が貫通口１１内で前後方向に案内されるようになる。また、規制部４８の前端部は、蓋部４７の前端部よりも前側に突出しており、蓋部材４０ｂを収容部材４０ａに取り付けることで、蓋部４７の上面と同一面を形成する検出器５０の上面にかかり、検出器５０を上側から押さえつけるように配される。さらに、蓋部材４０ｂには、収容部材４０ａに形成されたねじ止め部４６，４６と対向して配される位置にねじ孔４９，４９が形成されており、蓋部材４０ｂの上面側からねじを挿通しねじ止めすることで、蓋部材４０ｂを収容部材４０ａに固定できるとともに、規制部４８が検出器５０を押さえることで検出器５０が収容空間４１内に固定される。
【００４６】
以上のような構成を有する検出手段１０においては、検出装置３０は、検出部５２が遊技盤保持枠１３０の前後方向に沿って前側に突出するとともに規制部４８が上側に位置する向きで、開口部１３６の後方へ延出する下部周壁１３６ａ上に載置され、後方からスライドガイド部材２０が取り付けられている。これにより検出装置３０は、規制部４８がスライド溝２４に嵌合して前後方向に沿って案内されるようになるとともに、左右方向への移動が規制される。さらに、検出装置３０の蓋部４７の上面には、スライド溝２４が形成されたスライドガイド部材２０の上側の外周壁２１が接し、検出装置３０は、スライドガイド部材２０の上側の外周壁２１と下部周壁１３６ａに挟まれて上下方向への移動が規制される。よって、検出装置３０は、検出部５２の変移方向が前後方向となる向きで、前後動可能に遊技盤保持枠１３０に取り付けられることとなる。
【００４７】
このように取り付けられた検出装置３０の前後の移動範囲（スライド量）は、スライド溝２４と規制部４８によって規制されるようになっている。この検出装置３０の前後の移動範囲において、検出装置３０が最も前端部に位置する状態では、規制部４８の前端が、開口部１３６を形成する周壁のうち、上側の周壁の後端部に当接することでこれ以上の前方向への移動が規制された状態となる。この状態では、検出装置３０の前端部が開口部１３６に挿入された状態となる。ここで、検出装置３０における規制部４８の前端から前面（ベース部材５１の前面５１ａ）までの幅と、開口部１３６の前後幅は略等しく、開口部１３６の前端部から検出部５２のみが突出した状態となる。
【００４８】
また、前後の移動範囲において、検出装置３０が最も後端部に位置する状態では、規制部４８の後端部がスライド溝２４の後端部に接し、これ以上の後方への移動が規制された状態となる。この規制部４８とスライド溝２４によって設定される検出装置３０の前後の移動範囲は、検出部５２の非検出状態から検出状態への変位量よりも大きくされており、後述するように、遊技盤保持枠１３０および透明部材保持枠１４０の開閉状態を確実に検出できるようになっている。
【００４９】
以上のことから、スライド部材４０は、前後方向のスライド量を規制する規制部４８が設けられ、検出部５２の非検出状態から検出状態への変位量よりも、スライド部材４０が規制部４８により規制されたスライド量を大きくしたこととなる。
【００５０】
また、図７に示すように、矩形枠状の機枠１１０における上側の内周面には、遊技盤保持枠１３０を閉じた状態で検出手段１０の後方に位置する部分に、ストッパ部材１１１が取り付けられている。このストッパ部材１１１はＬ字状の部材で、屈曲部分を挟んだ一方の側面にはねじ孔１１２，１１２および位置決め用のボス１１３，１１３が形成され、この部分が機枠１１０の上側の内側面に固定されることで、他方の側面が機枠１１０の内側面に対して垂直かつ機枠１１０の左右方向に沿って配されるようになっている。この機枠１１０の内側面に対して垂直かつ機枠１１０の左右方向に沿って配された面が、前後動可能な検出装置３０の後端部に当接し、後方への移動を規制する後方壁部１１４をなす。
【００５１】
次に、以上のように構成される検出手段１０による、機枠１１０に対する遊技盤保持枠１３０の開閉状態の検出および遊技盤保持枠１３０に対する透明部材保持枠１４０の開閉状態の検出について説明する。
【００５２】
まず、図８（ａ）には、機枠１１０に対して遊技盤保持枠１３０を閉じ、遊技盤保持枠１３０に対して透明部材保持枠１４０を閉じた状態を示した。このように機枠１１０に対して遊技盤保持枠１３０を閉じた状態では、検出装置３０の後端部が機枠１１０に設けられたストッパ部材１１１の後方壁部１１４に当接し、後方への移動が規制された状態となる。また、この状態では、検出装置３０が貫通口１１での前後の移動範囲における前端の位置に移動し、規制部４８の前端が遊技盤保持枠１３０に形成された開口部１３６の後端部に接した状態となる。また、このように遊技盤保持枠１３０に対して透明部材保持枠１４０を閉じた状態においては、透明部材保持枠１４０の裏面における検出手段１０の前方に対向する部分と、開口部１３６の前端の間隔は、検出部５２が押し込まれて検出状態となっているときの突出幅に略等しい。
【００５３】
よって、図８（ａ）に示すように、機枠１１０に対して遊技盤保持枠１３０を閉じ、遊技盤保持枠１３０に対して透明部材保持枠１４０を閉じた状態では、検出装置３０は前後の移動範囲における前端の位置にあり、検出部５２のみが開口部１３６の前端から突出した状態となる。そして、検出部５２は、透明部材保持枠１４０の裏面によって後方へ押圧され、付勢部材の付勢力に抗して押し込まれた状態となる。すなわち検出装置３０は、検出器５０から検出信号が出力される検出状態で維持された状態となる。
【００５４】
図８（ａ）に示す状態から機枠１１０に対して遊技盤保持枠１３０を開放すると、図８（ｂ）に示すように、検出装置３０に対する後方壁部１１４による後方への移動の規制が解除される。そして、図８（ａ）に示す状態でベース部材５１に押し込まれていた検出部５２が、付勢部材の付勢力によりベース部材５１から突出するように伸張することで、検出装置３０のスライド部材４０で形成された本体部分が遊技盤保持枠１３０に対して後方へ移動する。すなわち、伸張する検出部５２の前端には、透明部材保持枠１４０の裏面が当接していて依然として前方への移動が規制されているため、後方への移動の規制が解除された検出装置３０のスライド部材４０で形成された本体部分が後方へ移動することとなる。このとき、上述したように、規制部４８とスライド溝２４によって設定される検出装置３０の前後の移動範囲（スライド量）が、検出部５２の非検出状態から検出状態への変位量よりも大きいので、検出部５２は完全に突出した状態となる。これにより検出器５０から検出信号が出力されない非検出状態に変換されることとなる。
【００５５】
また、図８（ａ）に示す状態から、図８（ｃ）に示すように、遊技盤保持枠１３０に対して透明部材保持枠１４０を開放することによっても、付勢部材の付勢力に抗して押し込まれた検出部５２が前方向へ突出した状態となる。これにより検出器５０から検出信号が出力されない非検出状態に変換されることとなる。
【００５６】
以上のように、検出手段１０においては、図８（ｂ）に示す、機枠１１０に対して遊技盤保持枠１３０を開放した場合および図８（ｃ）に示す、遊技盤保持枠１３０に対して透明部材保持枠１４０を開放した場合に、検出器５０から検出信号が出力されない非検出状態に変換される。すなわち一つの検出装置３０で、透明部材保持枠１４０および遊技盤保持枠１３０の開放状態を検出することができる。
【００５７】
この検出手段１０（検出装置３０）からの検出信号は、監視手段をなす遊技制御装置１３３に入力されるようになっており、遊技制御装置１３３において検出器５０からの検出信号を監視することで開閉状態を監視することができる。なお、遊技制御装置１３３では、検出装置３０からの検出信号に基づき、遊技盤保持枠１３０もしくは透明部材保持枠１４０の開放状態を検出した際に、例えば、枠装飾装置１４４としてのランプやＬＥＤを点灯、点滅する処理や、スピーカ１４２から音声を出力する処理を行い、開放されたことを報知するようになっている。また、遊技盤保持枠１３０もしくは透明部材保持枠１４０の開放状態の検出に関する情報を、外部の管理装置に対して出力するようにしても良い。
【００５８】
また、このように検出手段１０と監視手段をなす遊技制御装置１３３が同じ遊技盤保持枠１３０に設けられていることで、両者が別の枠に設けられている場合に比べて配線の処理を簡素化できる。すなわち、配線が二つの枠にまたがって配されることがないので、例えば、枠の開閉により検出装置３０と監視手段とを結ぶ配線が枠部材の間に挟まって断線することなどを防ぐことができる。
【００５９】
以上のことから、機枠１１０の前側に開閉可能に設けられ、遊技盤１を保持する遊技盤保持枠１３０と、遊技盤保持枠１３０の前側に開閉可能に設けられ、閉状態で透明部材（ガラス板１４１）が遊技盤１の前方を覆う透明部材保持枠１４０と、機枠１１０に対する遊技盤保持枠１３０の開閉状態、及び、遊技盤保持枠１３０に対する透明部材保持枠１４０の開閉状態を検出する検出装置３０と、を有する遊技機１００において、遊技盤保持枠１３０は、前後に貫通する貫通口１１を設けて該貫通口１１に検出装置３０を収納するとともに、該検出装置３０からの検出信号を監視する監視手段（遊技制御装置１３３）を設け、検出装置３０は、ベース部材５１に対して所定量突出した非検出状態に付勢され、該非検出状態から付勢に抗して突出量を減少させた検出状態に変位する検出部５２を有する検出器５０と、検出部５２の変位方向が前後方向となるようにベース部材５１を保持するとともに、貫通口１１に対して前後方向にスライドするスライド部材４０と、から構成し、透明部材保持枠１４０及び遊技盤保持枠１３０の双方が閉状態の場合に、検出装置３０が機枠１１０、及び透明部材保持枠１４０により前後方向から押圧されて検出部５２を検出状態に変位させる一方、遊技盤保持枠１３０が開状態に変換することにより貫通口１１が後方に開放する際に、検出部５２に作用する付勢力によりベース部材５１を貫通口１１の開放側にスライドさせるようにしたこととなる。
【００６０】
なお、以上の実施形態の遊技機においては、検出手段１０を遊技盤保持枠１３０の前面側から見た上部右側に設けるようにしたが、これに限られるものではなく、機枠１１０と遊技盤保持枠１３０、透明部材保持枠１４０が前後に重なる部分であれば良い。
また、検出装置３０に、検出部５２を押下することで検出状態に変換されて検出信号を出力する検出器５０を用いたが、逆に検出部５２を押下することで非検出状態に変換されて検出信号が出力されなくなる検出器５０を用いても良い。
また、検出装置３０は、検出部５２の突出する方向が前方となるように配するとしたが、検出部５２が後方へ突出するように配しても良い。そして、透明部材保持枠１４０における貫通口１１と対峙する部分に突起を設けるようにすれば、透明部材保持枠１４０及び遊技盤保持枠１３０の双方が閉状態の場合に、透明部材保持枠１４０の突起が貫通口１１内に没入して、検出装置３０が機枠１１０のストッパ部材１１及び透明部材保持枠１４０の突起により前後方向から押圧されて検出部５２を検出状態に変位させる一方、透明部材保持枠１４０が開状態に変換することにより貫通口１１が前方に開放する際に、検出部５２に作用する付勢力によりベース部材５１を貫通口１１の開放側にスライドさせるようになる。
また、遊技機１００にバックアップ電源を備え、遊技機１００の電源を遮断した状態においても、検出装置３０による遊技盤保持枠１３０もしくは透明部材保持枠１４０の開放状態の検出を可能としても良い。
また、監視手段は遊技を制御する遊技制御装置１３３としたが、検出装置３０を監視する監視装置を別途設けるようにしても良い。
【００６１】
以上のような遊技機１００は、機枠１１０の前側に開閉可能に設けられ、遊技盤１を保持する遊技盤保持枠１３０と、遊技盤保持枠１３０の前側に開閉可能に設けられ、閉状態で透明部材（ガラス板１４１）が遊技盤１の前方を覆う透明部材保持枠１４０と、機枠１１０に対する遊技盤保持枠１３０の開閉状態、及び、遊技盤保持枠１３０に対する透明部材保持枠１４０の開閉状態を検出する検出装置３０と、を有する遊技機１００であって、遊技盤保持枠１３０は、前後に貫通する貫通口１１を設けて該貫通口１１に検出装置３０を収納するとともに、該検出装置３０からの検出信号を監視する監視手段（遊技制御装置１３３）を設け、検出装置３０は、ベース部材５１に対して所定量突出した非検出状態に付勢され、該非検出状態から付勢に抗して突出量を減少させた検出状態に変位する検出部５２を有する検出器５０と、検出部５２の変位方向が前後方向となるようにベース部材５１を保持するとともに、貫通口１１に対して前後方向にスライドするスライド部材４０と、から構成し、透明部材保持枠１４０及び遊技盤保持枠１３０の双方が閉状態の場合に、検出装置３０が機枠１１０、及び透明部材保持枠１４０により前後方向から押圧されて検出部５２を検出状態に変位させる一方、透明部材保持枠１４０または遊技盤保持枠１３０のいずれか一方が開状態に変換することにより貫通口１１が前後のいずれかに開放する際に、検出部５２に作用する付勢力によりベース部材５１を貫通口１１の開放側にスライドさせるようにしている。
【００６２】
したがって、遊技盤保持枠１３０は、前後に貫通する貫通口１１を設けて該貫通口１１に検出装置３０を収納するとともに、該検出装置３０からの検出信号を監視する監視手段を設けたので、検出装置３０と監視手段が同じ枠（遊技盤保持枠１３０）に設けられており、検出装置３０における検出器５０と監視手段とを結ぶ配線の処理を簡素化することができる。すなわち、枠の開閉により検出装置３０と監視手段とを結ぶ配線が枠部材の間に挟まって断線するといった事態を効果的に回避できる。
【００６３】
また、透明部材保持枠１４０及び遊技盤保持枠１３０の双方が閉状態の場合に、検出装置３０が機枠１１０、及び透明部材保持枠１４０により前後方向から押圧されて検出部５２を検出状態に変位させる一方、透明部材保持枠１４０または遊技盤保持枠１３０のいずれか一方が開状態に変換することにより貫通口１１が前後のいずれかに開放する際に、検出部５２に作用する付勢力によりベース部材５１を貫通口１１の開放側にスライドさせるので、１つの検出装置３０で透明部材保持枠１４０及び遊技盤保持枠１３０の開放状態を検出でき製造コストを抑えることができる。
【００６４】
また、スライド部材４０は、前後方向のスライド量を規制する規制部４８が設けられ、検出部５２の非検出状態から検出状態への変位量よりも、スライド部材４０が規制部４８により規制されたスライド量を大きくしている。
【００６５】
したがって、スライド部材４０は、前後方向のスライド量を規制する規制部４８が設けられ、検出部５２の非検出状態から検出状態への変位量よりも、スライド部材４０が規制部４８により規制されたスライド量を大きくしたので、確実に開閉状態を検出できる。
すなわち、夫々の枠が双方閉状態の場合に、検出装置３０に対して前後からの押圧力を確実に作用させ、検出部５２を検出状態とすることができると共に、夫々の枠のいずれか一方が開状態に変換した場合に、ベース部材５１を貫通口１１の開放側に確実にスライドさせ、検出部５２を非検出状態とすることができ、夫々の枠の開閉状態を確実に検出できる。
【００６６】
また、スライド部材４０は、中空部４１ａを形成して、該中空部４１ａに検出器５０の端子５３を収納し、中空部４１ａは、側部に端子５３に接続された配線を導出するための開口（配線用開口４４）を形成している。
【００６７】
したがって、スライド部材４０は、中空部４１ａを形成して、該中空部４１ａに検出器５０の端子５３を収納し、中空部４１ａは、側部に端子５３に接続された配線を導出するための開口を形成したので、前後方向に移動するスライド部材４０の側部開口より配線を導出することとなり、配線によりスライド部材４０の前後移動が阻害されることを防止できる。
【００６８】
なお、本発明の遊技機は、遊技機として、前記実施の形態に示されるようなパチンコ遊技機に限られるものではなく、例えば、その他のパチンコ遊技機、アレンジボール遊技機、雀球遊技機などの遊技球を使用する全ての遊技機に適用可能である。
【００６９】
また、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００７０】
【図１】本発明を適用した一実施の形態の構成を示す遊技機の前面側から見た斜視図であって、機枠に対し遊技盤保持枠が開放された状態を示す図である。
【図２】遊技機の前面側から見た斜視図であって、機枠に対し遊技盤保持枠が開放され、かつ、遊技盤保持枠に対して透明部材保持枠が開放された状態を示す図である。
【図３】遊技機の前面側を示す図であって、透明部材保持枠の前面側の部材と、発射操作ユニットおよび開閉パネルユニット、遊技盤を取り外した状態を示す図である。
【図４】遊技盤保持枠の検出手段が設けられた部分を示す、前面側から見た斜視図である。
【図５】遊技盤保持枠の検出手段が設けられた部分を示す、裏面側から見た斜視図である。
【図６】検出装置の分解斜視図である。
【図７】機枠のストッパ部材が設けられた部分を示す前面側から見た斜視図である。
【図８】図３に示すＡ−Ａ断面を示す図であって、（ａ）機枠に対し遊技盤保持枠を閉鎖し、遊技盤保持枠に対し透明部材保持枠を閉鎖した状態を示す図、（ｂ）機枠に対し遊技盤保持枠を開放し、遊技盤保持枠に対し透明部材保持枠を閉鎖した状態を示す図、（ｃ）機枠に対し遊技盤保持枠を閉鎖し、遊技盤保持枠に対し透明部材保持枠を開放した状態を示す図である。
【符号の説明】
【００７１】
１      遊技盤
１１    貫通口
３０    検出装置
４０    スライド部材
４１    収納空間
４１ａ  中空部
４４    配線用開口（開口）
４８    規制部
５０    検出器
５１    ベース部材
５２    検出部
５３    端子
１００  遊技機
１１０  機枠
１２０  内枠
１３０  遊技盤保持枠
１３３  遊技制御装置（監視手段）
１４０  透明部材保持枠
１４１  ガラス板（透明部材）
【図１】
2008017924.tif 000003
【図２】
2008017924.tif 000004
【図３】
2008017924.tif 000005
【図４】
2008017924.tif 000006
【図５】
2008017924.tif 000007
【図６】
2008017924.tif 000008
【図７】
2008017924.tif 000009
【図８】
2008017924.tif 000010